(57)【要約】      （修正有）【課題】不特定多数の者が出入り使用する病院やオフィスビル等の建造物のトイレにおけるロール紙のカット、次にロール紙を引き出す際の不衛生面、引き出しカットの困難性を解決するトイレットホルダーを提供する。【解決手段】トイレットペーパーホルダーＴのカバーＣを持ち上げることなく、且つ、ロール紙Ｒを引き出すことをしなくても任意の長さのロール紙Ｒを送り出し、また、トイレットペーパーホルダーＴを使用の度に、衛生的にロール紙Ｒを送り出す。【選択図】図１
2015012983.tif 000002
【特許請求の範囲】
【請求項１】
トイレットペーパーホルダーのカバーを持ち上げることなく、且つ、ロール紙を引き出すことをしなくても任意の長さのロール紙を送り出すことを特徴とするワンプッシュ送り出しトイレットペーパーホルダー。
【請求項２】
前記トイレットペーパーホルダーのカバーに装着した前記ロール紙送り出しユニットを保持枠の深さに押し込んで始めて作動することで、ロール紙をスムースに扱うことできることを特徴とする請求項１記載のワンプッシュ送り出しトイレットペーパーホルダー。
【請求項３】
前記トイレットペーパーホルダーのカバーに装着した前記ロール紙送り出しユニットが待機状態の時は、元の状態の保持枠の位置にあり、前記ロール紙を支障なく引き出すことができることを特徴とする請求項１又は２記載のワンプッシュ送り出しトイレットペーパーホルダー。
【請求項４】
前記トイレットペーパーホルダーは、使用の度に衛生的に前記ロール紙を送り出すことができることを特徴とする請求項１〜３記載のいずれか１項記載のワンプッシュ送り出しトイレットペーパーホルダー。
【発明の詳細な説明】
【技術分野】
【０００１】
本発明はトイレットペーパーホルダーのカバーを持ち上げることなく、且つ、ロール紙を引き出すことをしなくても任意の長さのロール紙を送り出すことを特徴とするトイレットペーパーホルダーに関する。
【背景技術】
【０００２】
従来、トイレは、夫々の家で少なくとも１カ所は必要とされ、また、不特定多数の者が出入り使用する病院やオフィスビル等の建造物のトイレ、そこに設置されているトイレットペーパーホルダーは、多種あるが、衛生面に問題点があった。使用する者の手が個々に触れて衛生的でないと言う欠点である。
【０００３】
従来のトイレットペーパーホルダーのカバーは、ロール紙を上から押える機能と紙を切断する機能とを兼ねている。
従って、トイレットペーパーホルダーでロール紙を切断する際には、カバーの先端部でロール紙を押さえてカットするため、ロール紙のカット部は強く押し付けられて付着される。
次にロール紙を引き出すには、付着している端部を引き出すことが困難なため、片手でカバーを持ち上げて、もう一方の手の爪先等でロール紙の端部を剥がしてから引き出す方法であるため、容易にカットするには両手が必要である。
これらの問題を解消するために多くの技術が提案されている。その一例として、下記特許文献１が存在する。この特許文献１によるトイレットペーパーホルダーに付帯する装置は、ロール紙をセットするのに手間がかかり、また、ロール紙が残り少なくなった時、芯  近くのロール紙の直径が小さくなり、ロール紙の巻き上げ作用を期待することができない。
特許文献２においても、同様にロール紙をセットするのに手間がかかり、また、ロール紙が残り少なくなった時、装着されたすべり軸や跳ね上げ盤が作用効果の期待ができないという欠点があった。
次に、特許文献３において、トイレットペーパーホルダーのカバーのほぼ中央に長穴を形成し、ロール紙の送り出し部としているが、ほこりが溜まりやすく、ロール紙が不衛生になりかねない。また、ロール紙が残り少なくなった時、長穴の送り出し部の作用面が小さくなり、ロール紙の送り出し作用を期待することができない。
特許文献４において、ロール紙を交換しやすく、簡単に引き出しカットできるが、ロール紙の上方にカバーが無いので、ほこりも溜まりやすく、ロール紙が不衛生になりかねない。更に、ロール紙が残り少なくなった時、納まりも悪く、引き出しカットが容易にできなくなる。
これらの問題点に鑑み、特許文献５が存在することも否定できなく、衛生的にも操作的にもクリアするが、電動式で、且つ、電気配線を必要とするので、市販されているトイレットペーパーホルダーよりかなり高価である。
【先行技術文献】
【特許文献】
【０００４】
【特許文献１】特開平８−１４０８８８
【特許文献２】特開平１１−１１３７８６
【特許文献３】特開２０１１−１２０８４９
【特許文献４】特開２０１３−０４３０７８
【特許文献５】特開２０１１−１６１１８４
【発明の概要】
【発明が解決しようとする課題】
【０００５】
解決しようとする問題点は、不特定多数の人が出入りする病院やオフィスビル等の建造物でトイレを使用する際、そこのトイレットペーパーホルダーのカバーを持ち上げて、ロール紙を引き出すことは衛生的でない点と、片手でロール紙を引き出しカットする操作は困難である点と、ロール紙が残り少なくなった時、上記先行技術文献の参考特許文献にあるように対応できない点である。
本発明は以上の問題を解決しようとするものである。
【課題を解決するための手段】
【０００６】
本発明は、トイレットペーパーホルダーのカバーを持ち上げることなく、且つ、ロール紙を引き出すことをしなくても任意の長さのロール紙を送り出すことを最も主要な特徴とする。
【０００７】
本発明を更に詳細に述べる。
トイレットペーパーホルダーのカバーにおいて、ロール紙が新しい時もロール紙が残り少なくなった時も、ロール紙のカット部分寄りの位置で、常時、ロール紙に接触する面を選択し、そこにロール紙の送り出しユニットを装着する。
また、トイレットペーパーのサイズも芯の直径 ３８ｍｍ、幅 １１４ｍｍ、直径 １１２ｍｍとＪＩＳで制約がある。一般に、トイレットペーパーホルダーのカバーのサイズは、幅 １２０ｍｍ位がよく見られる。
本発明は、前記ユニットのユニット保持枠を前記トイレットペーパーホルダーのカバーの幅中央部で、カバーとロール紙との接触面の任意の位置に、幅 約３０ｍｍ、奥行 約 ３０ｍｍサイズの前記ロール紙の送り出しユニットの手前部 ５ｍｍ、奥部 １０ｍｍの高さで、両サイドは移行して設けて、また、手前には可動軸受け穴、奥部には固定軸受け穴を夫々両サイドに設けて装着する。
前記送り出しユニットのカバー奥部の固定軸に付帯するシリコン製、又は、ゴム製の直径 約１０ｍｍチューブと前記カバー手前の可動軸に位置する任意の大きさのＰＰ製の緩圧用シート状バネリングを夫々 約３０ｍｍの幅で前記送り出しユニットに任意の位置に内装する。
前記送り出しユニットの上辺奥部の両サイドに可動軸受け穴を設け、バネ性の有るＵ字型の錆びにくい金属又は、樹脂製の作動連動棒を付帯し、前記トイレットペーパーホルダーのカバーの裏面と同様の高さ位置に、Ｕ字型の底部にロール紙を圧接及びスライド機能有する棒状の緩圧ギア材を付帯する。本発明は、以上のような構成よりなるワンプッシュ送り出しトイレットペーパーホルダーである。
【発明の効果】
【０００８】
本発明は、上記の様な構成をしたワンプッシュ送り出しトイレットペーパーホルダーである。
本発明によれば、既存のトイレットペーパーホルダーのカバーを交換するだけで、使用することができ、経済的である。しかも、電動式でないので、電気配線等の工事の必要がない。また、使用する度に、新しいロール紙を送り出すことができるので、衛生的である。またさらに、本発明は、怪我等で片手が使えない人や手の不自由な人には使い勝手が良く、近頃では、トイレットペーパーホルダーのカバーの押さえが利いているものも多く、片手でトイレットペーパーをカットすることができ、押さえの利いていない時は、前記ユニットに手のひらや指を添えて、前記ロール紙をカットすることができる。
【図面の簡単な説明】
【０００９】
【図１】本発明のワンプッシュ送り出しトイレットペーパーホルダーを示す斜視図
【図２】同上のロール紙の送り出しユニットの装着位置を示す側面図
【図３】同上のロール紙の送り出しユニットの待機状態を示す機能断面図
【図４】同上のロール紙の送り出しユニットの作動状態を示す機能断面図
【図５】同上のロール紙の送り出しユニットの実施状態を示す側面図
【発明を実施するための最良の形態】
【００１０】
以上の構成よりなるから、前記ロール紙の送り出しユニットの上面に位置する押しボタンを押すと、前記ユニットがユニット保持枠の５ｍｍを押し込まれると、始めて奥部に移行し、前記ユニットの上辺奥部に付帯している前記Ｕ字型の底部にあるスライド機能有する棒状の緩圧ギア材が順次連動する。これにより、前記ロール紙をスムースに扱うことができる。
したがって、前記押しボタンを押すことにより、この押しボタンの１回のストローク約１３ｍｍ移行することにより、前記ロール紙を約２０ｍｍ押し出すことができる機構を有している。
【００１１】
以下図面に基づき本発明の実施の形態について説明する。
図１は本発明の実施の形態のワンプッシュ送り出しトイレットペーパーホルダーＴを示す斜視図であって、カバーＣとサイドホルダーＨと内装されたロール紙ＲとカバーＣに付帯したロール紙送り出しユニット１とで構成されている、本発明の概要を示す。
図２においては、トイレットペーパーホルダーＴにロール紙送り出しユニット１を装着する際の新しいロール紙R1でも使いかけのロール紙R２でも前記ユニット１と接触面の移行線Ｌを示す図である。
図３と図４は、ロール紙送り出しユニット１の作動状態を示す図で、図３は、待機状態で、図４のように押しボタン３を押すと、前記ユニットケース２が作動ガイド穴１１を作動軸受け金具１０がスライドして、カバー面Ｃのユニット保持枠内８で約５ｍｍ押し込まれて、始めて奥部に移行することができ、薄タイプ緩圧チューブ（Ｐ.Ｐ製）４が押されて、次に、厚タイプ緩圧チューブ（シリコン製）５も押されて、バネ性の有るＵ字型の金属又は、樹脂製の作動連動棒６に連動され、ユニット脱落防止軸受部９のある角で移行が止まる。その時に、Ｕ字型の底部にある圧接及びスライド機能有する棒状の緩圧ギア材７が、任意の長さのロール紙を送り出すことができる。
また、ロール紙送り出しユニット１の押しボタン３を押すのを止めると、薄タイプ緩圧チューブ（Ｐ.Ｐ製）４や厚タイプ緩圧チューブ（シリコン製）５が元に戻り、元の位置で、待機状態になる。
図５は、ロール紙送り出しユニット１の実施状態を示す側面図で、ユニットケース２を押してａからｂへストローク約１３ｍｍ移行することにより、Ｕ字型の底部にある圧接及びスライド機能有する棒状の緩圧ギア材７が、ｃからｄの約２０ｍｍのロール紙を押し出す構成を示す図である。
【符号の説明】
【００１２】
Ｔ    トイレットペーパーホルダー
Ｃ    カバー
Ｈ    サイドホルダー
Ｒ    ロール紙
Ｌ    カバーとロール紙との接触面の移行線
１    ロール紙送り出しユニット
２    ユニットケース
３    押しボタン
４    薄タイプ緩圧チューブ（Ｐ.Ｐ製）
５    厚タイプ緩圧チューブ（シリコン製）
６    作動連動棒
７    緩圧ギア材
８    ユニット保持枠
９    ユニット脱落防止軸受
１０    作動軸受け金具
１１    作動ガイド穴
【図１】
2015012983.tif 000003
【図２】
2015012983.tif 000004
【図３】
2015012983.tif 000005
【図４】
2015012983.tif 000006
【図５】
2015012983.tif 000007
【手続補正書】
【提出日】平成25年11月29日(2013.11.29)
【手続補正１】
【補正対象書類名】明細書
【補正対象項目名】全文
【補正方法】変更
【補正の内容】
【発明の詳細な説明】
【技術分野】
【０００１】
本発明はトイレットペーパーホルダーのカバーを持ち上げることなく、且つ、ロール紙を引き出すことをしなくても任意の長さのロール紙を送り出すことを特徴とするトイレットペーパーホルダーに関する。
【背景技術】
【０００２】
従来、トイレは、夫々の家で少なくとも１カ所は必要とされ、また、不特定多数の者が出入り使用する病院やオフィスビル等の建造物のトイレ、そこに設置されているトイレットペーパーホルダーは、多種あるが、衛生面に問題点があった。使用する者の手が個々に触れて衛生的でないと言う欠点である。
【０００３】
従来のトイレットペーパーホルダーのカバーは、ロール紙を上から押える機能と紙を切断する機能とを兼ねている。
従って、トイレットペーパーホルダーでロール紙を切断する際には、カバーの先端部でロール紙を押さえてカットするため、ロール紙のカット部は強く押し付けられて静電気等で付着される。
次にロール紙を引き出すには、付着している端部を引き出すことが困難なため、片手でカバーを持ち上げて、もう一方の手の爪先でロール紙の端部を剥がす面倒な方法であり、カットするには両手を必要とされる。
これらの問題を解消するために、片手で操作のできるトイレットペーパーホルダーの多くの技術が提案されている。その一例として、下記特許文献１が存在する。この特許文献１によるトイレットペーパーホルダーに付帯する装置は、ロール紙をセットするのに手間がかかり、また、ロール紙が残り少なくなった時、芯近くのロール紙の直径が小さくなり、ロール紙の巻き上げ作用を期待することができない。
特許文献２においても、同様にロール紙をセットするのに手間がかかり、また、ロール紙が残り少なくなった時、装着されたすべり軸や跳ね上げ盤が作用効果の期待ができないという欠点があった。
次に、特許文献３において、トイレットペーパーホルダーのカバーのほぼ中央に長穴を形成し、ロール紙の送り出し部としているが、ほこりが溜まりやすく、ロール紙が不衛生になりかねない。また、ロール紙が残り少なくなった時、長穴の送り出し部の作用面が小さくなり、ロール紙の送り出し作用を期待することができない。
特許文献４において、ロール紙を交換しやすく、簡単に引き出しカットできるが、ロール紙の上方にカバーが無いので、ほこりも溜まりやすく、ロール紙が不衛生になりかねない。更に、ロール紙が残り少なくなった時、納まりも悪く、引き出しカットが容易にできなくなる。
これらの問題点に鑑み、特許文献５が存在することも否定できなく、衛生的にも操作的にもクリアするが、電動式で、且つ、電気配線を必要とするので、市販されているトイレットペーパーホルダーよりかなり高価である。
また、特許文献６において、カバーに付帯するローラを押し付けてロール紙を繰り出すが、直にローラを手指や手のひらで押すので衛生的でなく、使用程度に応じて、ホルダの両サイドにあるバネでカバー圧を調整しなければならないという煩わしさがある。且つ、ローラを常時ロール紙に接しているので、手動でロール紙を引き出す時、バネ圧のあるカバーを持ち上げなければならない。
【先行技術文献】
【特許文献】
【０００４】
【特許文献１】特開平８−１４０８８８
【特許文献２】特開平１１−１１３７８６
【特許文献３】特開２０１１−１２０８４９
【特許文献４】特開２０１３−０４３０７８
【特許文献５】特開２０１１−１６１１８４
【特許文献６】特許５２３７６５２
【発明の概要】
【発明が解決しようとする課題】
【０００５】
解決しようとする問題点は、不特定多数の人が出入りする病院やオフィスビル等の建造物でトイレを使用する際、そこのトイレットペーパーホルダーのカバーを持ち上げて、ロール紙を引き出すことは衛生的でない点と、片手でロール紙を引き出しカットする操作は困難である点と、ロール紙が残り少なくなった時、上記先行技術文献の参考特許文献にあるように対応できない点である。
本発明は以上の問題を解決しようとするものである。
【課題を解決するための手段】
【０００６】
本発明は、トイレットペーパーホルダーのカバーを持ち上げることなく、且つ、ロール紙を引き出すことをしなくても任意の長さのロール紙を効率よく送り出すことを最も主要な特徴とする。
【０００７】
本発明を更に詳細に述べる。
トイレットペーパーホルダーのカバーにおいて、ロール紙が新しい時もロール紙が残り少なくなった時も、ロール紙のカット部分寄りの位置で、常時、ロール紙に接触する面を選択し、そこにロール紙の本発明の送り出しユニットを装着する。
また、トイレットペーパーのサイズも芯の直径 ３８ｍｍ、幅 １１４ｍｍ、直径 １１２ｍｍとＪＩＳで制約がある。一般に、トイレットペーパーホルダーのカバーのサイズは、幅 １２０ｍｍ位がよく見られる。
本発明は、前記ユニットのユニット保持枠を前記トイレットペーパーホルダーのカバーの幅中央部で、カバーとロール紙との接触面の任意の位置に、幅 約３０ｍｍ、奥行 約 ３０ｍｍサイズの穴を開け、前記ロール紙の送り出しユニットの手前部は、平面、奥部 １０ｍｍの高さで、両サイドは移行して枠部を設けて、また、手前中央と奥部中央にロール紙の前記送り出しユニットを固定するための任意の幅のＰＰバンド保持ねじ穴を夫々に設けて装着する。
前記送り出しユニットは、直径３０ｍｍ幅１３ｍｍのペットボトルのキャップような回転部材２ケを相対するように、前記キャップのような部材より直径の小さな任意の厚みの連結部材で構成され、両サイドに回転補助具として任意の大きさの取っ手型レバーを付帯されている。
また、前記送り出しユニットの前記連結部に回転戻り用のゼンマイばねを装備されている。さらに、送り出しユニットは、前記ゼンマイばねを装備されている連結部を任意の幅のＰＰバンド材で覆い、前記カバー穴の手前中央に固定し、前記送り出しユニットの保持位置を決定する。さらにまた、前記送り出しユニットは、前記ＰＰバンド保持ねじ穴の位置に任意の幅のＰＰバンド材を装着することにより前記トイレットペーパーホルダーのカバーから脱落を防止することができる。本発明は、以上のような構成よりなるワンプッシュ送り出しトイレットペーパーホルダーである。
【発明の効果】
【０００８】
本発明は、上記の様な構成をしたワンプッシュ送り出しトイレットペーパーホルダーである。
本発明によれば、既存のトイレットペーパーホルダーのカバーを交換するだけで、使用することができ、経済的である。しかも、電動式でないので、電気配線等の工事の必要がない。また、使用する度に、新しいロール紙を送り出すことができ、回転補助具として任意の大きさの取っ手型レバーを付帯されているので、ワンプッシュ送り出しで適量のロール紙を送り出すことができ、さらに、ロール紙面も手に触れることがないので、衛生的である。またさらに、本発明は、怪我等で片手が使えない人や手の不自由な人には使い勝手が良く、近頃では、トイレットペーパーホルダーのカバーの押さえが利いているものも多く、片手でトイレットペーパーをカットすることができ、押さえの利いていない時は、前記ユニットに手のひらや指を添えて、前記ロール紙をカットすることができる。
【図面の簡単な説明】
【０００９】
【図１】本発明のワンプッシュ送り出しトイレットペーパーホルダーの待機状態を示す斜視図
【図２】同上のトイレットペーパーホルダーの作動状態を示す斜視図
【図３】同上のロール紙の送り出しユニットとロール紙の接触移行線を示す側面図
【図４】同上のロール紙の送り出しユニットの構成を示す側面図
【発明を実施するための最良の形態】
【００１０】
以上の構成よりなるから、前記ロール紙の送り出しユニットの取っ手型レバーをロール紙送り出し回転部材を上から押しながら持ち上げると、前記ユニットがユニット保持枠の５ｍｍ程度を押し込まれると、始めてロール紙に接触し、前記ロール紙送り出し回転部材の切り込みの摩擦作用が順次連動する。これにより、前記ロール紙をスムースに送り出すことができる。
したがって、前記取っ手型レバーを押しながら持ち上げることにより、この前記取っ手型レバーの１回のストローク約１２０°で（３０ｍｍ以上）移行することにより、前記ロール紙をおよそ３０ｍｍ送り出すことができる機構を有している。
【００１１】
以下図面に基づき本発明の実施の形態について説明する。
図１は本発明の実施の形態のワンプッシュ送り出しトイレットペーパーホルダーＴの待機状態を示す斜視図であって、カバーＣとサイドホルダーＨと内装されたロール紙ＲとカバーＣに装着した取っ手型レバー付き５ロール紙送り出しユニット１とで構成されている、本発明の概要を示す。
図２は本発明の実施の形態のワンプッシュ送り出しトイレットペーパーホルダーＴの作動状態を示す斜視図であって、カバーＣとサイドホルダーＨと内装されたロール紙ＲとカバーＣに装着した取っ手型レバー付き５ロール紙送り出しユニット１とで構成されており、取っ手型レバー５を押しながら持ち上げた状態を本発明の概要を示す。
図３においては、トイレットペーパーホルダーＴにロール紙送り出しユニット１（１a〜１b）を装着する際の新しいロール紙R1でも使いかけのロール紙R２でも前記ユニット１との接触面の移行線Ｌを示す図である。
図４においては、ロール紙送り出しユニット１の構成を示す図で、前記送り出しユニットは、直径３０ｍｍ幅１３ｍｍのペットボトルのキャップような２ケの回転部材６を相対するように、前記キャップのような回転部材６より直径の小さな任意の厚みの連結部材で構成され、両サイドに回転補助具として任意の大きさの取っ手型レバー５を付帯されている。
また、ロール紙送り出しユニット１は、次のように構成されている。（１）まず、前記送り出しユニット１の前記連結部に回転戻り用のゼンマイばね２を装備されている。（２）次に、前記送り出しユニット１は、前記ゼンマイばね２を装備されている連結部を任意の幅のＰＰバンド材３で覆い、前記ＰＰバンド材３カバー穴の手前中央に固定し、前記送り出しユニット１の保持位置を決定する。（３）さらに、前記送り出しユニット１は、前記ＰＰバンドの枠部の手前中央と奥部中央の保持ねじ穴の位置に任意の幅のＰＰバンド材を装着することにより前記トイレットペーパーホルダーのカバーから脱落を防止することができる。さらにまた、前記送り出しユニット１の前記回転部材６に過回転防止ストッパー７を設け、過回転防止、ロール紙送り出しユニット１の破損防止することができる。本発明は、以上のような構成よりなるワンプッシュ送り出しトイレットペーパーホルダーである。
図３と図４において、待機状態と作用状態を示す図で、前記トイレットペーパーホルダーＴのロール紙送り出しユニット１の取っ手型レバー５を押しながら持ち上げたら、ロール紙Ｒを送り出すことができる。前記取っ手型レバー５を放したら、元の位置で、待機状態になる。
ロール紙送り出しユニット１の実施状態は、前記取っ手型レバー５をロール紙送り出し回転部材６を上から押しながら持ち上げると、前記ユニット１がユニット保持枠８の５ｍｍ程度を押し込まれると、始めてロール紙Ｒに接触し、前記ロール紙送り出し回転部材６の切り込みの摩擦作用が順次連動する。これにより、前記ロール紙Ｒをスムースに送り出すことができる。
したがって、前記取っ手型レバー５を押しながら持ち上げることにより、この前記取っ手型レバーの１回のストローク約１２０°で（３０ｍｍ以上）移行することにより、前記ロール紙をおよそ３０ｍｍ送り出すことができる機構を有していることを示す図である。
【符号の説明】
【００１２】
Ｔ    トイレットペーパーホルダー
Ｃ    カバー
Ｈ    サイドホルダー
Ｒ    ロール紙
Ｌ    カバーとロール紙との接触面の移行線
１    ロール紙送り出しユニット
２    ゼンマイばね
３    ゼンマイばね保持カバー
４    脱落防止カバー
５    取っ手型レバー
６    ロール紙送り出し回転部材
７    過回転防止ストッパー
８    ユニット保持枠
【手続補正３】
【補正対象書類名】図面
【補正対象項目名】全図
【補正方法】変更
【補正の内容】
【図１】
2015012983.tif 000008
【図２】
2015012983.tif 000009
【図３】
2015012983.tif 000010
【図４】
2015012983.tif 000011